(57)【要約】  【課題】下水道管渠などの施設に流れ込んだ油類が下水道施設から川や海などの公共用水域へ流れ出して水質を汚染することがないように、油類を固形化する前の液体の状態で捕捉・吸収することができる油吸着器具および油の回収方法を提供すること。  【解決手段】下水道の排水中の油を吸着させるための油吸着具は、長尺の繊維シートまたは繊維からなる油吸着材を結束具で移動不能に取り付けするとともに、前記結束具を、結束リングに取り付けて、前記油吸着部材を前記結束リングの円周上に配置したものである。油の回収方法は、前記油吸着具の結束リングをロープに対し移動不能に取り付け、前記ロープの少なくとも一端を固定するとともに、前記油吸着具を下水道の排水流に沿って浮遊させて下水道の排水中の油を吸着させる。【選択図】  図１
2005334732.tif 000002
【特許請求の範囲】
【請求項１】
長尺の繊維シートまたは繊維からなる油吸着材を結束具で固定するとともに、前記結束具を、結束リングに取り付けて、前記油吸着材を前記結束リングの円周上に配置したことを特徴とする下水道排水用の油吸着具。
【請求項２】
前記長尺の繊維シートまたは繊維からなる油吸着材は、前記結束具に、２つ折りの態様で挟持されていることを特徴とする請求項１に記載の下水道排水用の油吸着具。
【請求項３】
前記結束具が、前記結束リングに、２個以上取り付けられていることを特徴とする請求項１または２に記載の下水道排水用の油吸着具。
【請求項４】
前記結束具が、前記結束リングに、移動可能に取り付けられていることを特徴とする請求項１ないし３のいずれかに記載の下水道排水用の油吸着具。
【請求項５】
前記長尺の繊維シートがポリオレフィン樹脂製の長繊維から形成された不織布であることを特徴とする請求項１ないし４のいずれかに記載の下水道排水用の油吸着具。
【請求項６】
請求項１ないし５のいずれかに記載の油吸着具を、該油吸着具の結束リングを介してロープに取り付け、前記ロープの少なくとも一端を固定するとともに、前記油吸着具を下水道の排水流に沿って浮遊させて下水道排水中の油類を吸着させることを特徴とする油の回収方法。
【発明の詳細な説明】
【技術分野】
【０００１】
本発明は、下水道排水中の油類を吸着するための油吸着具および下水道排水に流れる油の回収方法に関する。
【背景技術】
【０００２】
下水道には、汚水・雨水を別々に収容する分流式と、汚水・雨水を一緒に収容する合流式がある。このうち特に合流式下水道では汚水・雨水が同じ管渠に収容され、大雨の時などは汚水が未処理のまま公共用水域に排出される。そして汚水に含まれる油類は下流水域の河川や海を汚すだけでなく、固形化していわゆるスカムとなり、管渠の閉塞、その他下水道付帯設備への付着を招き不測のトラブルの原因となる。
【０００３】
ところで、河川、湖沼、海洋の表面に浮遊する油類については、オイルフェンスをはじめ種々の油吸着・回収の方法、油吸着材、油吸着具が提案されており、例えば、吸着材を不織布のシートで挟持し、周辺部および中央部を点シールした油吸着具を水面に浮遊させて海面流出したオイルを回収する方法（特許文献１参照）、ポリオレフィン製のスパンボンド不織布からなるジグザクに折りたたんだ長尺の油吸着シートを使用した流出油の回収作業方法（特許文献２参照）、フィブリル化したポリオレフィン系複合繊維の融着成形物を不織布シートで包み込んだマットによる、水中の油吸着具あるいはオイルタンク清掃具（特許文献３参照）などがある。
【０００４】
しかしながら、下水道の管渠あるいは桝などにおいて排水に含まれる油類を回収する吸着具および油の回収方法について開示した文献はなく、ただ下水中に発生した油性スカムの分解法が開示されているのみである（特許文献４、５参照）。
【０００５】
下水道は、流れが速いこと、管渠溝の形状が一定でないこと、水深が刻々変化すること、固形のごみ類が共存することなどのため、上記の先行技術に示されたような、水面に浮遊する油類を回収するための広い表面を持つ、嵩張った形状の油吸着材または油吸着具では有効に油類を吸着できない問題点があった。また、吸着材自身も下水流の流速や管壁との接触による耐久性が十分でなく、さらに固形のごみがひっかかることによる抵抗増大のため長期間安定的に使用することができないという問題点もあった。
【０００６】
このため、上記のような問題を発生させることなく下水道排水中の油類を効率的に回収できる油吸着具および油の回収方法の出現が望まれていた。
【特許文献１】特開平０７-１００３７６号公報
【特許文献２】特開２０００−０００５６４号公報
【特許文献３】特開２００１−０８９９６２号公報
【特許文献４】特開２００３−２１１１８９号公報
【特許文献５】特開２００３−２１１１９１号公報
【発明の開示】
【発明が解決しようとする課題】
【０００７】
本発明の課題は、下水道管渠などの施設に流れ込んだ油類が下水道施設から川や海などの公共用水域へ流れ出して水質を汚染することがないように、油類を固形化する前の液体の状態で捕捉・吸収することができる油吸着具および油の回収方法を提供することにある。
【課題を解決するための手段】
【０００８】
本発明によれば、下記の下水道排水用の油吸着具および油の回収方法が提供されて、上記課題が解決される。
（１）  長尺の繊維シートまたは繊維からなる油吸着材を結束具で固定するとともに、前記結束具を、結束リングに取り付けて、前記油吸着部材を前記結束リングの円周上に配置したことを特徴とする下水道排水用の油吸着具。
【０００９】
（２）  前記長尺の繊維シートまたは繊維からなる油吸着材は、前記結束具に、２つ折りの態様で挟持されていることを特徴とする（１）に記載の下水道排水用の油吸着具。
（３）  前記結束具が、前記結束リングに、２個以上取り付けられていることを特徴とする（１）または（２）に記載の下水道排水用の油吸着具。
【００１０】
（４）  前記結束具が、前記結束リングに、移動可能に取り付けられていることを特徴とする（１）ないし（３）のいずれかに記載の下水道排水用の油吸着具。
（５）  前記長尺の繊維シートがポリオレフィン樹脂製の長繊維から形成された不織布であることを特徴とする（１）ないし（４）のいずれかに記載の下水道排水用の油吸着具。
【００１１】
（６）  （１）ないし（５）のいずれかに記載の油吸着具を、該油吸着具の結束リングを介してロープに取り付け、前記ロープの少なくとも一端を固定するとともに、前記油吸着具を下水道の排水流に沿って浮遊させて下水道の排水中の油を吸着させることを特徴とする油の回収方法。
【発明の効果】
【００１２】
本発明の下水道排水用の油吸着具は、桝やマンホールまたは管渠の中に設置することにより、食堂や一般家庭から下水道管に排出される油脂を固形化する前の液体の状態で吸着・捕捉することができ、公共用水域の油による汚染を軽減することができる。
【００１３】
本発明の油の回収方法によると、下水道排水中の油類を効率よく回収することができる。
【発明を実施するための最良の形態】
【００１４】
以下、本発明に係る下水道排水用の油吸着具および油の回収方法について具体的に説明する。
本発明に係る下水道排水用の油吸着具は、長尺の繊維シートまたは繊維からなる油吸着材と、前記吸着材を固定する結束具と、前記結束具が取り付けられる結束リングとからなる。
【００１５】
［吸着材］
本発明で用いられる吸着材は、長尺の繊維シートまたは繊維からなる。
吸着材として用いられる繊維シートとしては、溶融紡糸法によって得られる合成繊維、解繊糸などを利用した織布、不織布、ウエブなどが挙げられ、また、それらの糸を撚り合わせた撚糸および編んで作った網を用いることもできる。なかでもスパンボンド法による不織布、ニードルパンチング、部分融着処理等がされた不織布が好適である。
【００１６】
不織布を形成する繊維の繊維径は、好ましくは１〜５００μｍ、より好ましくは１０〜１００μｍである。また目付量は、好ましくは５〜１００ｇ／ｍ2、より好ましくは１０
〜５０ｇ／ｍ2である。
【００１７】
不織布を形成する合成繊維としては、油吸着性能および水中における耐久性などから、ポリエステル、ポリオレフィンからなるものが好ましい。ポリオレフィンとしては、エチ
レン、プロピレン、１−ブテン、１−ペンテン、１−ヘキセン、４−メチル−１−ペンテン、１−ヘプテン、１−オクテンなどの炭素原子数２〜１０のα−オレフィンの単独重合体、これらのオレフィン２種類以上の共重合体が挙げられ、具体的にはポリプロピレン、ポリエチレン、ポリブテン、ポリ−４−メチル−１−ブテンなどが挙げられ、なかでもポリプロピレンが、耐久性があり、また廉価なため利用される。また、繊維シートがポリオレフィン樹脂製であると、油を吸着させた後に吸着材を焼却した場合であっても環境汚染の問題が発生することが少ない。
【００１８】
繊維シートは、下水道の流れに沿って自由に形状が変化し、かつ摩耗および引張りに強いため、ポリオレフィン樹脂製の長繊維からなる不織布であることが好ましい。
吸着材として用いられる繊維は合成繊維であってもよく、天然繊維であってもよい。
合成繊維としては、熱可塑性樹脂を原料としたものが好ましく用いられ、熱可塑性樹脂としては、例えばポリエチレン、アイソタクチックポリプロピレン、シンジオタクチックポリプロピレン、エチレン−プロピレンコポリマー、オレフィン−ノルボルネンコポリマー、ポリブテン等のポリオレフィン、ポリ塩化ビニル、ポリ酢酸ビニル等のビニル系重合体、ＰＥＴ、ＰＢＴ等の芳香族ポリエステル、ナイロン６、ナイロン６,６等のポリアミド
、ポリ乳酸、ポリサクシニックブチレート等の脂肪族ポリエステル、ポリウレタン、ポリオール、ポリエステルポリオール、ポリカーボネート、レーヨン等が挙げられる。
【００１９】
これら熱可塑性樹脂のなかでも、親油性および／または疎水性を有するものが好ましく、なかでも、ポリオレフィン、特にポリエステル、ポリプロピレン、エチレン−プロピレンコポリマーが好ましい。
【００２０】
繊維は、モノフィラメント、マルチフィラメントまたは解繊糸のいずれでもよい。こうした繊維の製法は、特に限定されず、フィラメントの場合、例えば、溶融押出紡糸法、界面重合紡糸法等が挙げられ、解繊糸の場合、フィルムをカーディングすることにより得ることができる。
【００２１】
繊維径は、１μｍ以上のものが好ましい。余り太いと吸着油保持率の低下をきたし、また細過ぎると強度の面で問題である。特に好ましい繊維径は、１μｍ〜１ｍｍである。なお、ここでいう繊維径とは、解繊糸およびマルチフィラメントの場合、各１本のフィラメントのことをいう。
【００２２】
天然繊維としては、綿、麻、絹、木質繊維などの植物性繊維、羊毛などの動物性繊維等が挙げられる。
上記合成繊維は、油状物質の吸着率を高めるための添加剤を含んでいてもよい。このような添加剤としては、例えばポリオレフィンワックス、高級脂肪酸等が挙げられる。なお、これらの添加剤は、合成繊維、天然繊維の表面処理剤として使用することもできる。
【００２３】
また、必要に応じて、紫外線吸着剤等のような耐候性付与剤を樹脂に添加、または合成繊維または天然繊維に塗布してもよい。
長尺の繊維シートからなる吸着材は、長さが好ましくは５０〜４００ｃｍ、より好ましくは８０〜３００ｃｍであり、幅が好ましくは０．５〜１０ｃｍ、より好ましくは１〜５ｃｍである。
繊維からなる吸着材は、長さが好ましくは５０〜４００ｃｍ、より好ましくは８０〜３００ｃｍである。
【００２４】
上記のような吸着材は、長尺の繊維シートである場合は、好ましくは３〜２０本、より好ましくは５〜１０本を結束具に固定して用いられる。また吸着材が繊維である場合は、好ましくは６〜７０ｇ、好ましくは１０〜５０ｇを下記結束具に固定して用いられる。な
お、吸着材は長さの異なるものを組み合わせて使用することもできる。吸着材の長さ、使用する量は、下水道施設の形状、下水道排水中の油の量等に応じて適宜変更可能である。
【００２５】
［結束具］
結束具は、数条の前記吸着材を固定し、まとめて結束リングに取り付けるための部品であり、上記吸着材を固定でき、かつ結束リングに取り付けることができる部材であれば特に限定されない。また結束具の素材は、水中において強度があり、錆びたり化学変化したりしない耐久性がある材料であれば特に限定されず、例えば金属、合成樹脂、無機材料、皮革などが用いられる。結束具の材質としては、ステンレス若しくは錆びない金属リング、または合成樹脂特にポリオレフィン製のリングなどが選ばれる。
上記吸着材を固定した結束具は、下記結束リングに２〜１００個、好ましくは４〜２０個取り付けられる。結束リングに取り付ける結束具の数は、下水道施設の形状、下水道中の油の量等に応じて適宜変更可能である。
【００２６】
［結束リング］
結束リングは、結束具を介して吸着材を固定用ロープに繋げるための部品であり、例えばループ状に閉環したリングである。結束リングは、水中において強度があり、錆びたり化学変化したりしない耐久性がある材料であれば材質は特に限定されず、例えば金属、合成樹脂、無機材料、皮革などが用いられ、また下水道の形状、流れに従って自由に形状を変形できる柔軟な材料であるか、結束具がその表面上を自由に滑ることが出来るよう摩擦係数の小さいものが選ばれる。そのため、ステンレス若しくは錆びない金属リング、または合成樹脂特にポリオレフィン製のリングなどが選ばれ、これらの線材を撚り合わせた材料なども用いられる。
【００２７】
［油吸着具］
本発明に係る下水道排水用の油吸着具は、上記のような油吸着材、結束具および結束リングからなり、例えば図１に示すように構成されている。図１（Ａ）は油吸着材が結束具で固定された状態を示す概略図であり、図１（Ｂ）は本発明に係る油吸着具を示す概略図である。図２は、本発明に係る油吸着具がロープに取り付けられた状態を示す概略図である。
【００２８】
図１（Ａ）では、油吸着材１は、前記結束具２に２つ折りの態様でほぼ中央が挟持されているが、本発明ではこれに限定されず、油吸着材の少なくとも一部を結束具で固定すればよく、油吸着材の端部が結束具で固定されていてもよい。なお、回収時の作業性を考慮すると油吸着材を中間部で２つ折りにし、この中間部を結束具で結束したものが好ましい。また、結束具も吸着材を固定でき、かつ結束リングに取り付けることができる部材であれば特に限定されず、図に示す形状のものに限定されない。
【００２９】
本発明に係る油吸着具１０は、上記のような油吸着材１を取り付けた結束具２が、結束リング３に取り付けられ、前記油吸着材１は前記結束リング３の円周上に配置される。図１（Ｂ）では、結束具２は、結束リング３にその円周上を移動可能に取り付けられているが、本発明では移動不能に取り付けることもできる。
【００３０】
上記のような油吸着具は、図２に示すように結束リング３をロープ４に、好ましくは脱着自在に取り付ける。結束リング３は、油吸着具１０を取り付けた際に油吸着材１が互いに絡み合わないように適当な間隔を空けてロープ４に取り付けることが好ましい。油吸着具１０の数は、下水管の閉塞要因とならないような数であれば特に限定されないが、ロープ４に１〜２０個、好ましくは２〜１０個取り付けることが望ましい。
【００３１】
［油の回収方法］
次に、本発明に係る油吸着具を用いた油の回収方法について説明する。本発明では、上記のような油吸着具を、結束リングを介してロープに取り付け、ロープの少なくとも一端を固定し、油吸着具を下水道の排水流に沿って浮遊させて下水道排水中の油類を吸着させる。図３は、本発明に係る油吸着具の設置方法の一例を示す概略図である。
【００３２】
本発明に係る油吸着具を用いて油を回収するには、例えば図３に示すように、油吸着材１０をロープ４に取り付け、ロープ４の端部をマンホール２１の足掛け金物２２に結束する。なお、図３では油吸着具１０が２個ロープに取り付けられているが、油吸着具の数は下水道施設の形状、下水道排水中の油の量等の条件によって適宜変更可能である。また、本発明では前記ロープの端部は、上記以外の方法、例えばマンホール内部に固定金具を設置し、これに結束する等により固定してもよい。油吸着具１０は、マンホール２１の中の管渠に下水道排水中の油分を吸着し易いように、かつ水面から浮くことがないように設置する。
【００３３】
上記のように油吸着具を設置し、油が油吸着材に吸着された後、油吸着材は回収される。油吸着材の回収は、油吸着材が取り付けられたロープの端部が固定金具等により固定された状態で行うことができ、またロープの端部が固定されていない状態、例えば下水道施設から取り出した状態で行うこともできる。
【００３４】
油吸着材を回収する方法としては、結束具を結束リングから取り外し油吸着材を回収する方法、結束具を切断して結束具を結束リングから取り外し油吸着材を回収する方法、結束具から油吸着材を取り外し回収する方法、結束リングをロープから取り外し油吸着材を回収する方法等がある。また、場合により油が吸着した油吸着材を回収した後、新たな油吸着材に交換する。
【００３５】
回収された油吸着材から、例えば圧搾することにより吸着した油を回収することができる。通常回収された油吸着材は、必要に応じて裁断した後、焼却される。
［実施例１］
（油吸着具）
三井化学社製ポリプロピレンフィルム（銘柄名Ｆ１）から製造した繊維径１０μｍの解繊糸を長さ１ｍに切断して油吸着材とした。当該油吸着材５本を選びそれらの中点をポリプロピレン製インシュロック結束具により結束した。結束具のループ部分をＳＵＳ３０４製の結束リングに７束づつ取り付けた吹流しタイプの繊維束（繊維重量：重量２１０ｇ）を作製し、これを外径８ｍｍ、長さ６．５ｍのロープに１ｍ間隔で２セット、両端を２．５ｍ残して取り付けた。
【００３６】
（管渠への取り付け）
上記の油吸着具を結束したロープの端部を合流式下水道の内径２５０ｍｍの管渠に設置し、もう一方の端部をマンホールのステップ金具に固定して、家庭およびラーメン屋を含むレストランから出る油分を含む排水に１ヶ月間接触させた。設置した下水道の排水量は平均９４ｍ3／日、流速０．８ｍ／ｓであり、含まれる油分は３２ｍｇ／ｌ（０．００３
２％）、固形分は９８ｍｇ／ｌであった。
【００３７】
なお、油分量はｎ−ヘキサン抽出物質として定量評価した。なお、測定方法は昭和４９年環境庁告示第６４号によった。
＜実験結果＞
５日目および３０日に油吸着具を回収して水中の油分ならびに若干量の固形油分をヘキサンに抽出して分析した。全油吸着材に吸着回収された油分ならびに下水に対する濃縮率を計算により求め表１に示した。
【００３８】
表１の結果から分かるように、油吸着材に吸着した油分は下水道における濃度に対し２６２５倍に濃縮された。また、３０日経過後も５日目と吸着物の組成に大差なく、全油吸着量は５日目よりも増加し、また、油分濃縮率も変わらず、吸着材の性能は低下していなかった。
【００３９】
【表１】
2005334732.tif 000003
【００４０】
（回収および処分）
ロープの端部にあるＳＵＳ製の結束リングについているインシュロックを切断することにより吸着材を回収することが出来た。
【００４１】
回収された油吸着材は圧搾により吸着物質を分離して測定・分析し、油吸着材は裁断した後、焼却にて処分した。
【図面の簡単な説明】
【００４２】
【図１】（Ａ）は油吸着材が結束具で固定された状態を示す概略図であり、（Ｂ）は本発明に係る油吸着具を示す概略図である。
【図２】本発明に係る油吸着具がロープに取り付けられた状態を示す概略図である。
【図３】油吸着材の設置方法の一例を示す概略断面図である。
【符号の説明】
【００４３】
１  …  油吸着材
２  …  結束具
３  …  結束リング
４  …  ロープ
１０…  油吸着具
２１…  マンホール
２２…  足掛け金具（ステップ）
２３…  管渠
【図１】
2005334732.tif 000004
【図２】
2005334732.tif 000005
【図３】
2005334732.tif 000006